(57)【要約】【課題】  カウンターの入隅コーナー部分付近で必要に応じ載置スペースを確保することができて便利であり、不用時には体裁良く納まって使い勝手も良好なカウンター装置を提供する。【解決手段】  この発明のカウンター装置は、カウンター１の入隅コーナー部分Ｘにおいて、コーナーを構成する一方側の前端縁１ａから他方側の前端縁１ｂに向けて回動突出する補助カウンター２を付設し、この補助カウンター２の突出先端２ａが同他方側の前端縁１ｂに対して着脱自在に当止されるようになしたものである。【選択図】図１
2006345881.tif 000002
【特許請求の範囲】
【請求項１】
カウンターの入隅コーナー部分において、コーナーを構成する一方側の前端縁から他方側の前端縁に向けて回動突出する補助カウンターを付設し、この補助カウンターの突出先端が同他方側の前端縁に対して着脱自在に当止されるようになしたカウンター装置。
【請求項２】
カウンターの入隅コーナー部分に補助カウンターを軸支して、この補助カウンターを前記一方側の前端縁のカウンター下側に出し入れ自在に収容したことを特徴とする請求項１記載のカウンター装置。
【請求項３】
回動突出された補助カウンターの上面とカウンターの上面とが略同一高さで面一状に連設されるように、同補助カウンターを上昇させる昇降手段を備えたことを特徴とする請求項２記載のカウンター装置。
【請求項４】
補助カウンターの突出先端をカウンターの前記他方側の前端縁に対して着脱自在に固定するラッチ手段を備えたことを特徴とする請求項１〜３のいずれか一つに記載のカウンター装置。
【発明の詳細な説明】
【技術分野】
【０００１】
本願発明は、例えば、平面視略Ｌ字型のキッチンカウンターのように、入隅コーナー部分を有するカウンター装置に関するものである。
【背景技術】
【０００２】
従来から、図５に示す如く、平面視略Ｌ字型で入隅コーナー部分Ｘを有するキッチンカウンターは知られている（特許文献１：特開平１０−１２７３７６号公報）。この場合、平面視略Ｌ字型のカウンター１がフロアーキャビネット５上に設置固定されており、同カウンター１にはシンク９及びその後方に給水カラン１０が配設されている。又、カウンター１の入隅コーナー部分Ｘ付近の下方にはオープンスペースＳが形成されており、フロアーキャビネット５には同オープンスペースＳへと引き出される引き出し１８が出し入れ自在に収容設置されている。したがって、このキッチンカウンターにあっては、引き出し１８を出し入れして、オープンスペースＳを有効に活用することができる。
【特許文献１】特開平１０−１２７３７６号公報
【発明の開示】
【発明が解決しようとする課題】
【０００３】
しかしながら、上記従来のキッチンカウンターであるカウンター装置にあっては、入隅コーナー部分Ｘ付近において、カウンター１上に台所用品や調理材料等の物品を載置しようとした場合、同カウンター１上には広い載置スペースがなくて、調理作業時等に不便を感じるものであった。又、カウンター１の下方にあっては、引き出し１８を出し入れし難くて、使い勝手が良好とは言い難いものでもあった。
【０００４】
本願発明は、上記背景技術に鑑みて発明されたもので、その課題は、カウンターの入隅コーナー部分付近で必要に応じ載置スペースを確保することができて便利であり、不用時には体裁良く納まって使い勝手も良好なカウンター装置を提供することである。
【課題を解決するための手段】
【０００５】
上記課題を解決するために、本願発明のカウンター装置は、カウンターの入隅コーナー部分において、コーナーを構成する一方側の前端縁から他方側の前端縁に向けて回動突出する補助カウンターを付設し、この補助カウンターの突出先端が同他方側の前端縁に対して着脱自在に当止されるようになしたものである。
【発明の効果】
【０００６】
本願発明のカウンター装置にあっては、カウンターの入隅コーナー部分において、コーナーを構成する一方側の前端縁から他方側の前端縁に向けて回動突出する補助カウンターを付設しているので、必要に応じ補助カウンターを回動突出させることにより、この補助カウンター上を載置スペースとして活用することができる。しかも、その際、補助カウンターの突出先端がカウンターの他方側の前端縁に対して着脱自在に当止されるので、同補助カウンターは突出された状態で位置決めされ、その操作性も良好なものである。又、不用時には補助カウンターを逆方向に回動引退させて、邪魔にならないよう体裁良く納めることができ、使い勝手が良好なものである。
【発明を実施するための最良の形態】
【０００７】
図１〜３は、本願請求項１、２、４に対応した一実施形態のカウンター装置を示している。この実施形態のカウンター装置は、カウンター１の入隅コーナー部分Ｘにおいて、コーナーを構成する一方側の前端縁１ａから他方側の前端縁１ｂに向けて回動突出する補助カウンター２を付設し、この補助カウンター２の突出先端２ａが同他方側の前端縁１ｂに対して着脱自在に当止されるようになしたものである。
【０００８】
この実施形態のカウンター装置では、カウンター１の入隅コーナー部分Ｘに補助カウンター２を軸支して、この補助カウンター２を前記一方側の前端縁１ａのカウンター１下側に出し入れ自在に収容している。又、この実施形態のカウンター装置は、補助カウンター２の突出先端２ａをカウンター１の前記他方側の前端縁１ｂに対して着脱自在に固定するラッチ手段（マグネット４）を備えてもいる。
【０００９】
以下、この実施形態のカウンター装置を、より具体的詳細に説明する。この実施形態のカウンター装置は、平面視略Ｌ字型で入隅コーナー部分Ｘを有するキッチンカウンターである。この場合、図２に示す如く、平面視略Ｌ字型のカウンター１がフロアーキャビネット５上に設置固定されている。フロアーキャビネット５も平面視略Ｌ字型で、台輪部６上に収納箱部７が形成されてなり、この収納箱部７の前面開口には扉板８が開閉自在に付設されている。なお、フロアーキャビネット５には、収納部材として引き出しが設けられても、又、調理機器としてグリル等が設けられてもよい。
【００１０】
図１に示す如く、一方側の前端縁１ａ側と他方側の前端縁１ｂ側とのカウンター１は各別に形成されて結合一体化されているが、平面視略Ｌ字型のカウンター１はその全体が一体に形成されてもよい。又、前端縁１ｂ側のカウンター１上面には、シンク９及びその後方に給水カラン１０が配設されている。そして、前端縁１ａ側のカウンター１下側に、図２に示す如く、収納スペース１１が形成されており、この収納スペース１１に補助カウンター２は出し入れ自在に収容される。
【００１１】
この場合、補助カウンター２は合成樹脂、木材、金属等でなり、略１／４円形状の扇型に形成されている。補助カウンター２の略１／４円形状の中心近傍には回動中心軸１２が設けられており、この回動中心軸１２は前記収納スペース１１内の前面開口の片側端付近に位置し、同回動中心軸１２を介して補助カウンター２がカウンター１の入隅コーナー部分Ｘに軸支されている。補助カウンター２は略９０度の範囲に規制されて回動されるものであり、収納スペース１１内にその全体が収容された引退状態と、その略全体が露出した突出状態との間で回動操作される。
【００１２】
補助カウンター２の突出状態では、その突出先端２ａがカウンター１の前端縁１ｂに対して着脱自在に当止支持される。その際、カウンター１の前端縁１ｂには、図３にも示す如く、段部１３が形成されており、この段部１３上に補助カウンター２の突出先端２ａが係止支持されて、同補助カウンター２は水平状態に保持される。又、補助カウンター２の突出先端２ａには、ラッチ手段となるマグネット４が埋設されており、このマグネット４は対向するステンレス等の磁性金属にて形成されたカウンター１の前端縁１ｂに着脱自在に磁着される。
【００１３】
なお、この場合、補助カウンター２の突出先端２ａに埋設されたマグネット４と着脱自在に磁着する受け側マグネットを、カウンター１の前端縁１ｂに付設してもよい。又、ラッチ手段として、前記のようなマグネットラッチの他、着脱自在に引っ掛け結合される係止ラッチが採用されてもよい。
【００１４】
したがって、この実施形態のカウンター装置においては、カウンター１の入隅コーナー部分Ｘにおいて、コーナーを構成する一方側の前端縁１ａから他方側の前端縁１ｂに向けて回動突出する補助カウンター２を付設しているので、必要に応じ補助カウンター２を回動突出させることにより、この補助カウンター２上を載置スペースとして活用することができる。補助カウンター２上には台所用品や調理材料等の物品を載置することができ、カウンター１の入隅コーナー部分Ｘ付近のスペースを有効に活用することができる。
【００１５】
しかも、その際、補助カウンター２の突出先端２ａがカウンター１の他方側の前端縁１ｂに対して着脱自在に当止支持されるので、同補助カウンター２は突出された状態で位置決め保持され、安定性に優れてその操作性も良好なものである。又、不用時には補助カウンター２を逆方向に回動引退させて、邪魔にならないよう体裁良く納めることができ、使い勝手が良好で、調理作業時におけるカウンター１の入隅コーナー部分Ｘ付近での作業動線も改善されるものである。
【００１６】
又、この実施形態のカウンター装置においては、カウンター１の入隅コーナー部分Ｘに補助カウンター２が軸支されることで、この補助カウンター２は確実に支持されて回動操作される。しかも、補助カウンター２は前記一方側の前端縁１ａのカウンター１下側に出し入れ自在に収容されるので、不用時に同補助カウンター２をより体裁良く邪魔にならないようにして納めることができる。更に、補助カウンター２の突出先端２ａをカウンター１の前記他方側の前端縁１ｂに対して着脱自在に固定するラッチ手段としてのマグネット４を備えているので、同補助カウンター２は突出された状態でより確実に安定した状態で支持固定され、使い勝手もより向上される。
【００１７】
図４は、本願請求項１〜４全てに対応した別の一実施形態のカウンター装置を示している。この実施形態のカウンター装置は、回動突出された補助カウンター２の上面２ｃとカウンター１の上面１ｃとが略同一高さで面一状に連設されるように、同補助カウンター２を上昇させる昇降手段３を備えたものである。この昇降手段３は、回動中心軸１２に嵌挿されたスプリングであるバネ１６によって同補助カウンター２を自動的に上昇させるものである。
【００１８】
この場合、前端縁１ａ側のカウンター１下側の収納スペース１１内において、その前面開口の片側端付近に回動中心軸１２が立設固定され、補助カウンター２の回動中心側基端２ｂ付近に形成された軸孔１４が同回動中心軸１２に嵌挿されて、補助カウンター２は回動自在に保持されている。回動中心軸１２に嵌挿された前記バネ１６によって補助カウンター２は上方へ付勢されており、図４（ａ）に示す如く、補助カウンター２が突出状態とされると、補助カウンター２の回動中心側基端２ｂ付近に形成される凹所１５にカウンター１の前端縁１ａが納まるようにして、同補助カウンター２は前記バネ１６の付勢力によって上方へ自動的に上昇される。
【００１９】
又、補助カウンター２の突出状態では、ストッパー片１７が上方へ回動操作されて補助カウンター２の下面に当止され、同補助カウンター２は下降しないよう確実に支持されてその上に物品を載置することができる。なお、ストッパー片１７は枢支軸１７ａを介して前端縁１ａ側のカウンター１下側に枢着されており、上下方向略９０度の範囲に規制されて回動操作される。そして、補助カウンター２を引退回動させて前端縁１ａ側のカウンター１下側の収納スペース１１内に収容する際には、図４（ｂ）に示す如く、ストッパー片１７を下方へ回動操作して補助カウンター２の下面から外し、この補助カウンター２をバネ１６の付勢力に抗して下降させ、この下降された状態で同補助カウンター２を引退回動させればよいものである。
【００２０】
したがって、この実施形態のカウンター装置においては、補助カウンター２が回動突出された状態で昇降手段３により上昇されて、この補助カウンター２の上面２ｃとカウンター１の上面１ｃとは略同一高さで面一状に連設されるようになるので、同補助カウンター２の上面２ｃとカウンター１の上面１ｃとを一連の広い載置スペースとして便利に使用することができる。なお、それ以外は上記実施形態と同様に構成され、上記実施形態におけると同様の作用効果が奏される。
【図面の簡単な説明】
【００２１】
【図１】本願発明の一実施形態であるカウンター装置を示す平面図。
【図２】同カウンター装置を示す縦断面図。
【図３】同カウンター装置の要部を示す拡大縦断面図。
【図４】別の実施形態であるカウンター装置の要部を示し、（ａ）は補助カウンターが突出した状態での拡大縦断面図、（ｂ）は補助カウンターが引退した状態での拡大縦断面図。
【図５】従来例であるカウンター装置（キッチンカウンター）を示す平面図。
【符号の説明】
【００２２】
１  カウンター
１ａ  一方側の前端縁
１ｂ  他方側の前端縁
１ｃ  上面
２  補助カウンター
２ａ  突出先端
２ｂ  回動基端
２ｃ  上面
３  昇降手段
４  マグネット（ラッチ手段）
Ｘ  入隅コーナー部分
【図１】
2006345881.tif 000003
【図２】
2006345881.tif 000004
【図３】
2006345881.tif 000005
【図４】
2006345881.tif 000006
【図５】
2006345881.tif 000007